(57)【要約】【課題】ダクトとファンのシュラウドとを簡単な構造で気密に接続する。【解決手段】角筒状をなす冷却ダクト２０の上縁にフランジ３７が形成される。ファン６７のシュラウド７５の一側面を延長して形成された取付板７９に、冷却器５５が取り付けられてユニット化される。シュラウド７５の二側面の下縁にはフランジ８２が形成される。本体１０の天井壁６４の開口部６５内には、内装板１１の開口縁に形成された張り出し部７０が突出される。冷却ダクト２０の両フランジ３７が張り出し部７０の下面に当てられ、開口部６５の下側の口縁にねじ８５で止められる。冷却ユニット７２が開口部６５内に上方から挿入され、シュラウド７５の両フランジ８２が張り出し部７０の上面に当たって挿入が停止される。そののち、第１ダクト板３１と、そこに当てられた冷却器５５のエンドプレート６１とが、ねじで止められて固定される。【選択図】  図８
2004286277.tif 000002
【特許請求の範囲】
【請求項１】
内外装板の間に断熱材を充填した断熱箱体からなる本体内には冷蔵室が形成され、この冷蔵室の側壁にはダクトが設けられてその内部に冷却器が設置されるとともに、前記本体の天井壁の上にこの天井壁の開口部を通して前記ダクトと連通したファン収容室が設けられてファンが収容され、前記ファンの運転により、前記ダクト内の吸込通路に前記冷蔵室内の空気が吸引され、前記冷却器を通過することで生成された冷気が前記ダクト内の吹出通路から前記冷蔵室に循環供給されるようにした冷却貯蔵庫において、
前記天井壁の開口部には前記内装板の開口縁が張り出して設けられるとともに、前記ファンへの通路を構成するシュラウドの下縁と、前記ダクトの上縁とにはそれぞれフランジが設けられ、前記シュラウドと前記ダクトとのフランジで前記内装板の開口縁が挟着されていることを特徴とする冷却貯蔵庫。
【請求項２】
前記シュラウドの一側板が下方に延出されて取付板が形成され、この取付板に前記冷却器が取り付けられていることを特徴とする請求項１記載の冷却貯蔵庫。
【発明の詳細な説明】
【０００１】
【発明の属する技術分野】
本発明は冷却貯蔵庫に関し、特にダクトにより冷蔵室内に冷気を循環供給する部分の構造の改良に関する。
【０００２】
【従来の技術】
近年、病院やホテル等では温冷配膳車の普及が著しい。これは、底面に車輪を備えた断熱箱からなる本体内に、断熱性の仕切壁を挟んで一対の温蔵室と冷蔵室とが形成され、温食と冷食とを分けて載せたトレイが仕切壁を貫通して温蔵室と冷蔵室とにわたって収容されることで、温食は保温状態に、冷食は保冷状態にそれぞれ貯蔵して運搬できるようにしたものである。
このような温冷配膳車における冷蔵室の冷却構造の一例として、例えば特許文献１に記載されたものが知られている。
【０００３】
これは、図１３に示すように、冷蔵室の内部に上下方向のダクト１が配設され、ダクト１内の中央部に幅広の１本の吸込通路２と、両側に２本の吹出通路３とが形成され、吸込通路２の上部側に冷却器４が設置されている。一方、本体の天井壁５の上には、開口部５Ａを通してダクト１と連通したファン収容室６が設けられ、その中にファン７が、吸込通路２の上端側と気密に連通した形態で収容されている。そして、冷凍装置とともにファン７が運転されると、冷蔵室の室内空気が吸込口２Ａを通して吸い込まれて吸込通路２を上方に流通し、冷却器４を通過することで生成された冷気が両側の吹出通路３に送出され、吹出口３Ａから冷蔵室に吹き出されるといった循環供給がなされることで、冷蔵室が冷却されるようになっている。
【０００４】
【特許文献１】
特開２００２−２６７３２５公報
【０００５】
【発明が解決しようとする課題】
ところでこのような冷却形態のものでは、その冷却効率を高めるためには、例えば冷却器４が配された吸込通路２の上端と、ファン７との間に洩れのない流通路を形成することが肝要である。そのため上記従来のものでは、天井壁５の開口部５Ａにダクト１の上端を気密に嵌める一方、吸込通路２の上端とファン７との間に形成される空間の長い方の２側面は、ファン収容室６の側壁で塞ぐとともに、短い方の２側面は、ダクト１の上縁に載せられるＬ型のブラケット８で塞ぎ、これを以て洩れのない流通路を形成していた。
しかるに上記のものでは、特にダクト１の上端部が天井壁５の開口部５Ａに気密に嵌められた構造であるため、その組み付けに当たっては、ダクト１を分割し、なおかつそれらを斜めにして開口部５Ａに嵌めつつ組み付ける必要があって、手間が掛かるという問題があり、さらなる改良が切望されていた。
本発明は上記のような事情に基づいて完成されたものである。
【０００６】
【課題を解決するための手段】
請求項１の発明は、内外装板の間に断熱材を充填した断熱箱体からなる本体内には冷蔵室が形成され、この冷蔵室の側壁にはダクトが設けられてその内部に冷却器が設置されるとともに、前記本体の天井壁の上にこの天井壁の開口部を通して前記ダクトと連通したファン収容室が設けられてファンが収容され、前記ファンの運転により、前記ダクト内の吸込通路に前記冷蔵室内の空気が吸引され、前記冷却器を通過することで生成された冷気が前記ダクト内の吹出通路から前記冷蔵室に循環供給されるようにした冷却貯蔵庫において、前記天井壁の開口部には前記内装板の開口縁が張り出して設けられるとともに、前記ファンへの通路を構成するシュラウドの下縁と、前記ダクトの上縁とにはそれぞれフランジが設けられ、前記シュラウドと前記ダクトとのフランジで前記内装板の開口縁が挟着されている構成としたところに特徴を有する。
請求項２の発明は、請求項１に記載のものにおいて、前記シュラウドの一側板が下方に延出されて取付板が形成され、この取付板に前記冷却器が取り付けられているところに特徴を有する。
【０００７】
【発明の作用及び効果】
＜請求項１の発明＞
ダクトの上縁と、天井壁の上に配されたファンへの通路を構成するシュラウドの下縁とを接続するに当たり、それぞれに設けられたフランジで開口部内に張り出された内装板の開口縁を挟着したから、密閉して接続できて冷気を洩れなく効率良く循環させることができる。
特に、ダクトを取り付けるに当たっては、ダクトを起立姿勢のままで本体内に入れ、上縁のフランジを内装板の開口縁の下面に合わせてねじ等で固定すればよいから、取り付けが簡単にできる。また、シュラウドを取り付けるについても、下縁のフランジが同じく内装板の開口縁の上面に当たることで自ずから位置決めされる。もって、組み付け作業を能率良く行うことができる。
【０００８】
＜請求項２の発明＞
シュラウドと冷却器とが一体となってユニット化されるから、取り扱いに便利となる。また、冷却器の一側面が取付板で塞がれた状態となるから、仮に冷却器の同側面とダクトとの間に隙間ができたとしても、吸込通路に引かれた冷蔵室内の空気が、冷却器の同側面側に回り込んだのち冷却器内を流通することが規制され、同空気を極力冷却器の下面側から吸引して全高にわたって冷却器内を流通させることが可能となり、冷気生成効率すなわち冷却効率をより高めることが可能となる。
【０００９】
【発明の実施の形態】
以下、本発明の一実施形態を図１ないし図１２に基づいて説明する。
本実施形態の配膳車は、図１及び図２に示すように、全体として矩形箱状をなす配膳車本体１０を備えており、詳細には図８にも示すように、ステンレス鋼板製の内装板１１と外装板１２を組み付けてなる外殻体１３内に発泡ウレタン等の断熱材１４を充填した、表裏両面の開口された断熱箱体として構成されている。本体１０の底面にはキャスタ１６が装備されているとともに、上面には機械室１７が設けられている。
【００１０】
本体１０内には、横幅方向の中心位置に、詳しくは後記する冷却ダクト２０が立てられており、内部が左右２室に分けられている。冷却ダクト２０の表裏両側には支柱１９が立てられている。左右の各室では、幅方向の中央部よりも少し冷却ダクト２０側に寄った位置に断熱性の仕切壁２１が設けられ、これにより仕切壁２１の外側に温蔵室２２が、内側に冷蔵室２３が２つずつ構成されている。これらは、隣り合った温蔵室２２と冷蔵室２３同士が対をなし、それぞれ観音開き式の扉２４が装備されている。
【００１１】
温蔵室２２における仕切壁２１と反対側の壁面には、ヒータパネル２６が張られており、機械室１７に装備された加熱装置（図示せず）を介してヒータパネル２６が発熱されることで、温蔵室２２内が加熱される。一方、冷蔵室２３では、後記するように冷却ダクト２０を通して冷気が循環供給されて冷却される。
そして、温食と冷食とを分けて載せたトレイ２７が、仕切壁２１を貫通し、また両端をトレイ受け２８で受けられて、対をなす温蔵室２２と冷蔵室２３とにわたって収容され、一つのトレイ２７において、温食は温蔵状態に、冷食は冷蔵状態にそれぞれ保存されるようになっている。
【００１２】
次に、冷蔵室２３の冷却構造部分について詳細に説明する。
冷却ダクト２０は、図３に示すように、ともにステンレス鋼板からなる第１ダクト板３１と第２ダクト板３２とから形成されている。
第１ダクト板３１は、冷蔵室２３の全高にわたる高さ寸法と、冷蔵室２３の奥行きより少し短い幅寸法を有し、幅方向の両側縁には、側板３４が全高にわたり内面側（同図の手前側）に向けて曲げ形成されている。また、第１ダクト板３１の内面には、幅方向の両側縁から所定寸法入った位置に、側板３４と同じ高さを持った仕切板３５が立ち上がり形成され、この仕切板３５は下端側の所定寸法が切除されている。
一方の第２ダクト板３２は、基本的には上記の第１ダクト板３１と同じ高さと幅寸法とを持った平板状に形成されている。
そして、第１ダクト板３１の側板３４と仕切板３５との突出端が、第２ダクト板３２の内面に当てられて固定されることで、扁平な縦向きの角筒状をなす冷却ダクト２０が構成されるようになっている。ここで、両ダクト板３１，３２の上縁には、冷却ダクト２０を本体１０（冷蔵室２３）の天井壁６４に取り付けるべくフランジ３７が、それぞれ外側に向けて直角曲げされて形成されている。
【００１３】
上記のように組み付けられた冷却ダクト２０において、図４及び図５に示すように、両仕切板３５の内側の領域には、幅広の吸込通路４０が形成され、上端側が冷却器室４１となっている。一方、両仕切板３５の外側には、幅狭の吹出通路４２が２本形成されている。
冷却器室４１の下方には、除霜水を溜めるドレンパン４４が配設され、その所定間隔を開けた上方位置の左右両面には、斜め下方を向いたドレンガイド４５が上下に段差状となって取り付けられている。
吸込通路４０の左右両面には、吸込口４７が形成されている。一方、吹出通路４２の左右両面には、吹出口４８が複数段に分かれて形成され、上部側の吹出口４８の内側の面には、適宜の角度をなす吹き出し用のガイド板４９が取り付けられている。
【００１４】
冷却ダクト２０内の下部における手前側の位置（図４の左側）には、上記したドレンパン４４で受けられた除霜水をホース５０を介して流下させて溜めるタンク５１が収容されるようになっており、一方の面（第１ダクト板３１）に形成された出入口５２から出し入れされるようになっている。
また、同面の奥側には、冷却ダクト２０内の底部を掃除する場合に利用する掃除用窓５３が形成されており、常には蓋５４で塞がれている。
【００１５】
図１１，１２に示すように、掃除用窓５３の上縁にはマグネット９０が取り付けられているとともに、下縁には立ち上がり部９１が形成されている。一方の蓋５４は、掃除用窓５３を塞ぐ正面板５４Ａの両側縁に側板５４Ｂが曲げ形成された平面コ字形に形成され、正面板５４Ａの上縁には鈎形の取手９２が形成されている。両側板５４Ｂは、その上縁が突出端側に向けて下り勾配となるように形成され、側板５４Ｂにおける手前の高位部９３での高さ寸法が、蓋５４が正規にセットされた場合に、高位部９３と掃除用窓５３の上縁との間隔ｔ１が、立ち上がり部９１の立ち上がり寸法ｔ２よりも小さくなるように設定されている。また、側板５４Ｂの下縁の手前の端部には、立ち上がり部９１を嵌めて逃がす切欠溝９４が形成されている。
すなわち蓋５４は、図１２の鎖線に示すように、上縁を手前に倒した斜め姿勢にして切欠溝９４を立ち上がり部９１に嵌め、そののち同図の実線に示すように起立させると、取手９２の裏面がマグネット９０に吸着されて取り付けられる。図１１の実線に示す取付状態では、側板５４Ｂの切欠溝９４が立ち上がり部９１に嵌まっていることで、振動等を受けてもがたつくことがなく、また上記した寸法設定により、蓋５４が同図の鎖線のように上動しても、その下縁は立ち上がり部９１に引っ掛かることで外部に抜け出るおそれがない。
【００１６】
再び冷却構造の説明に戻って、図４及び図５に示すように、冷却ダクト２０の冷却器室４１内には、冷却器５５（蒸発器）が収容されるようになっている。この冷却器５５は、図６に示すように、圧縮機５６、凝縮器５７等からなる冷凍装置５８と冷媒配管５９により循環接続されて冷凍サイクルを構成するものである。冷却器５５は詳細には、多数枚のフィン６０が並設されるとともに、その左右両側にチャンネル形のエンドプレート６１が配され、フィン６０並びにエンドプレート６１を蒸発管６２が蛇行状に貫通して配管され、全体としてブロック状に形成されており、冷却器室４１内に対し、縦幅方向（奥行き方向）については所定のクリアランスを持ち（図４参照）、また、横幅方向（厚さ方向）についてはほぼ緊密に収容される大きさに形成されている（図５参照）。
冷却器５５は、図５に示すように、その上部側を本体１０の天井壁６４に形成された開口部６５に突出させて配置され、一方、冷凍装置５８は、開口部６５の一側方において、機械室１７内に設置されるようになっている。
【００１７】
冷却器５５の所定寸法上方には、図示３基のファン６７が縦幅方向に並んで配されるようになっており、一方、天井壁６４の開口部６５の上面には、下面開放の断熱箱体からなるファン収容カバー６８が被せられ、その中に上記のファン６７が収容されるようになっている。天井壁６４の開口部６５は、図８に示すように、外装板１２と内装板１１との開口縁の間に、合成樹脂製の枠体６９を嵌めることで形成されているが、特に図７に示すように、内装板１１の開口縁１１Ａにおける長辺側の２辺における中央部に、張り出し部７０が形成されている。張り出し部７０は、冷却器室４１のほぼ縦幅寸法にわたる領域に形成されている。
【００１８】
上記したファン６７は冷却器５５と一体的に組み付けられ、図３に示すように冷却ユニット７２が形成されている。
冷却ユニット７２は詳細には、図８及び図９に示すように、細長い方形の枠状をなすケース７３を備え、その中に３個のファン６７が並んで収容されている。ケース７３の下面側には、シュラウド７５が、長辺側に形成されたフランジ７６同士を溶接することで連結されている。このシュラウド７５は段付き状に形成され、図４及び図５に示すように、上段部７５Ａはケース７３と同じく、冷却器５５を内側に嵌めることができる横幅寸法と、冷却器５５よりも少し短い縦幅寸法を有し、下段部７５Ｂでは、横幅は同じで、縦幅が冷却器５５よりも少し長くされている。
【００１９】
ケース７３からシュラウド７５の上段部７５Ａにわたっては、各ファン６７の間を仕切る仕切板７７が形成されている。そのうち、図４における右と中央のファン６７の間を仕切る仕切板７７Ａは、ケース７３から上の部分において上方並びにケース７３の短辺に沿った方向において張り出され、図５に示すように、ファン収容カバー６８内にほぼ緊密に嵌まって、ファン収容カバー６８内を図４に示すように左右に仕切ることが可能となっている。
【００２０】
上記したシュラウド７５のうち、長辺側の一方の側板（図８の右側の面）は、その下縁が、若干幅狭となって延出されることで取付板７９が形成され、この取付板７９の内側に冷却器５５が取り付けられている。詳細には、冷却器５５にシュラウド７５が被せられると、図４に示すように、冷却器５５の縦幅方向の両端の上面が、シュラウド７５内の段差部７５Ｃに当たり、この状態から、図８に示すように、取付板７９の左右の側縁と、そこに当てられた冷却器５５の左右のエンドプレート６１の折曲板６１Ａとが、例えば上下２箇所でねじ６３で止められて固定されている。これにより図８に示すように、冷却器５５の上端部がシュラウド７５の下段部７５Ｂ内において、横幅方向では緊密に嵌まり、縦幅方向では図４に示すように、クリアランスを持って嵌められた状態となる。
【００２１】
この取付板７９が連設されたシュラウド７５の側板の下縁には、全長にわたって断面Ｌ形のブラケット８１が溶接で固定されており、その下端の水平部が、本発明に言う取り付け用のフランジ８２となっている。
一方、シュラウド７５における長辺側の他方の側板（図８の左側の面）では、その下縁が全長にわたって外側に直角曲げされることで、同じく取り付け用のフランジ８２が、反対側のフランジ８２と同一高さに形成されている。
また、シュラウド７５における短辺側の両側板は、図９に示すように、それぞれ下縁がフランジ８２よりも少し下方位置まで延ばされることで、差込板８３が形成されており、両差込板８３は、冷却ダクト２０内の両仕切板３５の外側に密着して差し込まれるようになっている。これにより後記するように、ファン６７で吹き出された冷気が、吹出通路４２側に確実に導入されることを意図している。
【００２２】
本実施形態は上記のような構造であって、続いてその作用を説明する。
冷却構造部分を組み立てるについては、まず第１ダクト板３１と第２ダクト板３２により冷却ダクト２０を形成し、この冷却ダクト２０を本体１０内に入れて天井壁６４の開口部６５に合わせ、図８に示すように、冷却ダクト２０の上縁の両フランジ３７を、開口部６５内に突出した内装板１１の張り出し部７０の下面に当てる。そののち、フランジ３７の突出端側を開口部６５の下側の口縁に対して複数箇所ずつをねじ８５で止めることにより、冷却ダクト２０が本体１０内の所定位置に固定される。
【００２３】
一方、冷却ユニット７２が予め組み付けられる。冷却ユニット７２は、図８及び図９の矢線に示すように、本体１０の開口部６５内に上方から挿入される。冷却器５５が下端側から、開口部６５を通して冷却ダクト２０における冷却器室４１に次第に挿入され、図１０に示すように、シュラウド７５の長辺側の側板の下縁に設けられた両フランジ８２が、開口部６５内に突出した内装板１１の張り出し部７０の上面に当たったところで挿入が停止される。このとき図４に示すように、短辺側の側板の下縁に設けられた差込板８３が、冷却ダクト２０内の仕切板３５の内側に緊密に差し込まれる。
【００２４】
そうしたら図１０に示すように、第１ダクト板３１と、そこに当てられた冷却器５５のエンドプレート６１の反対側の折曲板６１Ｂとが、例えば上下２箇所ずつでねじ８６で止められて固定される。これにより冷却器５５が、冷却ダクト２０内の冷却器室４１からシュラウド７５の下段部７５Ｂにわたり、特に横幅方向についてほぼ緊密に嵌まった状態で収容される。また、冷却器室４１の上縁と、シュラウド７５の下縁とが連結される部分では、長辺側では、シュラウド７５側に設けられたフランジ８２と、冷却ダクト２０に設けられたフランジ３７とが、天井壁６４の開口部６５内に突出された内装板１１の張り出し部７０を挟み、短辺側では、シュラウド７５側に設けられたが差込板８３が、冷却ダクト２０内に設けられた仕切板３５の外側に密着して被せられることにより、全周にわたって気密に接続される。
【００２５】
それとともに、天井壁６４の開口部６５の上面を覆うようにしてファン収容カバー６８が被せられ、ファン６７が収容された状態とされるとともに、冷却ユニット７２に設けられた仕切板７７Ａにより、図４に示すように、ファン収容カバー６８内が、手前側の２基のファン６７に連通した領域と、奥側の１基のファン６７に連通した領域とに仕切られる。それとともに、開口部６５の側方に冷凍装置５８が設置され、冷却器５５と冷媒配管５９により接続される。
【００２６】
そして、冷凍装置５８（圧縮機５６）と循環ファン６７とが駆動されると、図４及び図５の矢線に示すように、左右の冷蔵室２３の室内空気が吸込口４７を通して吸い込まれて吸込通路４０を上方に流通し、冷却器５５を通過することで生成された冷気が、仕切板７７Ａにより振り分けられて両側の吹出通路４２に送出され、吹出通路４２を流下しつつ吹出口４８から両冷蔵室２３に吹き出されるといった循環供給がなされることで、両冷蔵室２３が冷却される。
【００２７】
以上説明したように本実施形態によれば、冷却ダクト２０の冷却器室４１の上縁と、天井壁６４の上に配されたファン６７への通路を構成するシュラウド７５の下縁とを接続するに当たり、長辺側の２辺では、それぞれに設けられたフランジ３７，８２で、開口部６５内に突出した内装板１１の張り出し部７０を挟んで密閉したから、冷気を洩れなく効率良く循環させることができる。
特に、冷却ダクト２０を取り付けるに当たっては、冷却ダクト２０を起立姿勢のままで本体１０内に入れ、フランジ３７を内装板１１の張り出し部７０に合わせてねじ８５等で固定すればよいから、取り付けが簡単にできる。また、冷却ユニット７２を組み付けるについても、シュラウド７５に設けたフランジ８２が同じく内装板１１の張り出し部７０に当たるまで挿入することで、冷却器５５が冷却器室４１内の適正位置に自ずから位置決めされる。もって、組み付け作業を能率良く行うことができる。
【００２８】
また、冷却器５５における冷却器室４１の側面との間で隙間が開く可能性がある面を、取付板７９で閉じた構造としたから、冷却器５５の下面側に引かれた室内空気が、冷却器５５の側面側に回り込んだのち冷却器５５内を流通することを防止し、同室内空気を極力冷却器５５の下面側から吸引して全高にわたって冷却器５５内を流通させることが可能となり、冷気生成効率すなわち冷却効率をより高めることが可能となる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）冷却ダクトを形成する第１ダクト板と第２ダクト板とは、本体内に別々に入れて組み付けるようにしてもよい。
（２）冷却器とファンのシュラウドとを一体に組み付けてユニット化するに当たり、上記実施形態に例示したようにシュラウドの一側板を延長した取付板に冷却器を取り付ける構造とせず、単にブラケット等を介して一体に組み付けてもよく、そのようなものも本発明の技術的範囲に含まれる。
（３）本発明は配膳車に限らず、側壁に配したダクトにより冷蔵室内に冷気を循環供給する形式の冷却貯蔵庫全般に広く適用することが可能である。
【図面の簡単な説明】
【図１】本発明の一実施形態に係る配膳車の扉の一部を外した正面図
【図２】配膳車本体の斜視図
【図３】冷却構造部分の分解斜視図
【図４】同側断面図
【図５】同正面から見た断面図
【図６】同一部切欠平面図
【図７】内装板の一部切欠平面図
【図８】冷却ユニットの取付動作を示す断面図
【図９】同一部切欠側面図
【図１０】冷却ユニットの取付完了時の断面図
【図１１】掃除用窓付近の断面図
【図１２】蓋の装着動作を示す断面図
【図１３】従来例の側断面図
【符号の説明】
１０…配膳車本体  １１…内装板  １１Ａ…（内装板１１の）開口縁  １２…外装板  １３…外殻体  １４…断熱材  ２０…冷却ダクト  ２３…冷蔵室  ３１，３２…ダクト板  ３７…フランジ  ４０…吸込通路  ４１…冷却器室  ４２…吹出通路  ５５…冷却器  ６１…エンドプレート  ６４…天井壁  ６５…開口部６７…ファン  ６８…ファン収容カバー（ファン収容室）  ７０…（内装板１１の開口縁１１Ａの）張り出し部  ７２…冷却ユニット  ７５…シュラウド  ７９…取付板  ８１…ブラケット  ８２…フランジ  ８０，８５，８６…ねじ
【図１】
2004286277.tif 000003
【図２】
2004286277.tif 000004
【図３】
2004286277.tif 000005
【図４】
2004286277.tif 000006
【図５】
2004286277.tif 000007
【図６】
2004286277.tif 000008
【図７】
2004286277.tif 000009
【図８】
2004286277.tif 000010
【図９】
2004286277.tif 000011
【図１０】
2004286277.tif 000012
【図１１】
2004286277.tif 000013
【図１２】
2004286277.tif 000014
【図１３】
2004286277.tif 000015